(57)【特許請求の範囲】
【請求項１】
インターホン子機と、伝送路を介して前記インターホン子機に接続されるインターホン親機とを備え、
前記インターホン子機は、特定領域の画像を取得する撮像部と、前記撮像部で取得された画像の画像信号を前記インターホン親機へ送信する第１通信部とを有し、
前記インターホン親機は、前記第１通信部からの前記画像信号を受信する第２通信部と、前記画像信号に基づいて画像を表示する表示部とを有し、
前記表示部に表示させる画像の範囲である表示範囲を制御する制御部を更に備え、
前記制御部は、動作モードとして、第１表示モードと、前記表示範囲が前記第１表示モードよりも狭い第２表示モードとを有し、
前記制御部は、前記動作モードが前記第１表示モードであるとき、前記特定領域の周縁領域以外の領域を前記表示範囲として表示可能であり、
前記制御部は、前記動作モードが前記第２表示モードであるとき、前記特定領域の前記周縁領域の少なくとも一部を含む領域を前記表示範囲として表示可能である
ことを特徴とするインターホンシステム。
【請求項２】
前記制御部は、前記動作モードが前記第２表示モードであるとき、前記表示範囲となる領域の前記特定領域内での位置が可変である
ことを特徴とする請求項１記載のインターホンシステム。
【請求項３】
前記特定領域は、複数の領域に分割されており、
前記制御部は、前記動作モードが前記第２表示モードであるとき、前記複数の領域のうちの少なくとも１つの領域を前記表示範囲とする
ことを特徴とする請求項２記載のインターホンシステム。
【請求項４】
前記動作モードが前記第２表示モードであるときの前記表示範囲の大きさが可変である
ことを特徴とする請求項１ないし請求項３のいずれか１項に記載のインターホンシステム。
【請求項５】
前記撮像部は、レンズを備え、
前記制御部は、前記動作モードが前記第２表示モードであるとき、前記表示範囲における前記周縁領域の占める割合が大きくなるに従って、前記表示範囲の画像の歪補正の補正量を多くする
ことを特徴とする請求項１ないし請求項４のいずれか１項に記載のインターホンシステム。
【請求項６】
前記制御部は、前記インターホン子機に設けられている
ことを特徴とする請求項１ないし請求項５のいずれか１項に記載のインターホンシステム。
【請求項７】
前記表示部は、前記動作モードが前記第１表示モードであるときの前記表示範囲の画像と、前記動作モードが前記第２表示モードであるときの前記表示範囲の画像とを同時に表示する
ことを特徴とする請求項１ないし請求項６のいずれか１項に記載のインターホンシステム。
【請求項８】
前記表示部は、前記動作モードが前記第１表示モードであるときの前記表示範囲の画像と、前記動作モードが前記第２表示モードであるときの前記表示範囲の画像とを切り替えて表示することを特徴とする請求項１ないし請求項６のいずれか１項に記載のインターホンシステム。
【請求項９】
伝送路を介してインターホン子機に接続されるインターホン親機として動作する情報端末の表示部の表示方法であって、
前記インターホン子機が撮像した特定領域の画像を含む信号を受信する受信ステップと、
前記受信ステップで受信した前記信号に基づいて画像を表示する表示ステップと、を有し、
前記表示ステップで表示する前記画像の範囲を表示範囲とし、
前記表示ステップでは、
第１表示モードにおいて、前記特定領域の周縁領域以外の領域を前記表示範囲として表示可能であり、
前記表示範囲が前記第１表示モードよりも狭い第２表示モードにおいて、前記特定領域の前記周縁領域の少なくとも一部を含む領域を前記表示範囲として表示可能である
ことを特徴とする表示方法。
【請求項１０】
請求項９に記載の表示方法を１以上のプロセッサに実行させることを特徴とするプログラム。
【発明の詳細な説明】
【技術分野】
【０００１】
本発明は、一般に、インターホンシステム、表示方法、及びプログラムに関し、より詳細には、インターホン子機とインターホン親機とを備えるインターホンシステム、表示方法、及びプログラムに関する。
【背景技術】
【０００２】
従来、住宅の玄関等に設置されテレビカメラを内蔵する子器と、家屋内に設置されモニタを内蔵する親器とを備えたテレビインターホンが開示されている（特許文献１参照）。
【０００３】
特許文献１記載のテレビインターホンは、玄関前の来訪者をテレビカメラで撮像して映像信号を親器に送り、子器からの映像信号の映像をモニタに表示させるように構成されている。
【０００４】
上述のテレビインターホンの親器は、所定の大きさのカーソルをモニタの所望の位置（例えば、来訪者の顔近傍）に表示させるカーソル表示制御手段を備える。親器は、カーソル表示制御手段からの制御信号に基づいて、モニタに表示された映像の全体領域のうち所定領域（上記所望の位置の領域）だけの映像をモニタに拡大表示させるように構成されている。
【先行技術文献】
【特許文献】
【０００５】
【特許文献１】特開平４−１９２９８６号公報
【発明の概要】
【発明が解決しようとする課題】
【０００６】
ところで、特許文献１記載のテレビインターホンでは、全体領域以外の領域（全体領域から見切れた領域）の映像をモニタに表示させることができない。
【０００７】
本発明は、上述の事由に鑑みてなされ、本発明の目的は、より広範囲の画像を表示することができるインターホンシステム、表示方法、及びプログラムを提供することである。
【課題を解決するための手段】
【０００８】
本発明の一態様に係るインターホンシステムは、インターホン子機と、伝送路を介して前記インターホン子機に接続されるインターホン親機とを備える。前記インターホン子機は、特定領域の画像を取得する撮像部と、前記撮像部で取得された画像の画像信号を前記インターホン親機へ送信する第１通信部とを有する。前記インターホン親機は、前記第１通信部からの前記画像信号を受信する第２通信部と、前記画像信号に基づいて画像を表示する表示部とを有する。前記インターホンシステムは、前記表示部に表示させる画像の範囲である表示範囲を制御する制御部を更に備える。前記制御部は、動作モードとして、第１表示モードと、前記表示範囲が前記第１表示モードよりも狭い第２表示モードとを有する。前記制御部は、前記動作モードが前記第１表示モードであるとき、前記特定領域の前記周縁領域以外の領域を前記表示範囲として表示可能である。また、前記制御部は、前記動作モードが前記第２表示モードであるとき、前記特定領域の前記周縁領域の少なくとも一部を含む領域を前記表示範囲として表示可能である。
本発明の一態様に係る表示方法は、伝送路を介してインターホン子機に接続されるインターホン親機として動作する情報端末の表示部の表示方法であって、受信ステップと、表示ステップと、を有する。前記受信ステップでは、前記インターホン子機が撮像した特定領域の画像を含む信号を受信する。前記表示ステップでは、前記受信ステップで受信した前記信号に基づいて画像を表示する。前記表示ステップで表示する前記画像の範囲を表示範囲とする。前記表示ステップでは、第１表示モードにおいて、前記特定領域の周縁領域以外の領域を前記表示範囲として表示可能である。また、前記表示ステップでは、前記表示範囲が前記第１表示モードよりも狭い第２表示モードにおいて、前記特定領域の前記周縁領域の少なくとも一部を含む領域を前記表示範囲として表示可能である。
本発明の一態様に関するプログラムは、前記表示方法を、１以上のプロセッサに実行させる。
【発明の効果】
【０００９】
本発明のインターホンシステム、表示方法、及びプログラムでは、より広範囲の画像を表示することができる。
【図面の簡単な説明】
【００１０】
【図１】図１は、本発明の一実施形態のインターホンシステムの構成図である。
【図２】図２Ａは、同上のインターホンシステムに関し、動作モードが第１表示モードであるときの表示範囲の説明図である。図２Ｂは、同上のインターホンシステムに関し、動作モードが第２表示モードであるときの表示範囲の説明図である。
【図３】図３は、同上のインターホンシステムに関し、動作モードが第２表示モードであるときの表示範囲の他の説明図である。
【図４】図４Ａは、同上のインターホンシステムのインターホン親機の正面図である。図４Ｂは、同上のインターホンシステムに関し、特定領域に対する第１領域及び第２領域の位置を示す説明図である。
【図５】図５Ａは、同上のインターホンシステムのインターホン親機の他の正面図である。図５Ｂは、同上のインターホンシステムに関し、特定領域に対する第１領域及び第２領域の位置を示す他の説明図である。
【図６】図６は、同上のインターホンシステムに関し、表示部に表示させる画像の変化を示す説明図である。
【発明を実施するための形態】
【００１１】
以下、本発明の一実施形態のインターホンシステム１００について、図１〜図６を参照しながら説明する。
【００１２】
インターホンシステム１００は、集合住宅に用いられる。インターホンシステム１００は、図１に示すように、インターホン子機１０と、インターホン親機２０とを備えている。インターホン子機１０は、住戸の外玄関に設置されている。インターホン親機２０は、住戸内に設置されている。インターホン親機２０は、伝送路３０を介してインターホン子機１０に接続されている。伝送路３０は、例えばツイストペアケーブルである。
【００１３】
インターホン子機１０は、図１に示すように、撮像部１１と、第１通信部１２と、第１制御部１３とを備えている。また、インターホン子機１０は、図示しない通話処理部（第１通話処理部）、マイクロホン、スピーカ及び操作部を備え、インターホン親機２０との間で通話を行うように構成されている。
【００１４】
撮像部１１は、来訪者を撮像して特定領域Ａ１０（図２Ａ参照）の画像（特定画像）を取得するように構成されている。撮像部１１は、カメラである。撮像部１１は、レンズ１４と、撮像素子と、信号処理部とを備えている。レンズ１４は、例えば広角レンズである。なお、特定領域Ａ１０とは、図２Ａに円形で表す領域であって、居住者がレンズ１４を通して見える領域である。図２Ａ中のＺ１は、撮像素子の外形を表している。特定画像は、動画である。但し、特定画像は、静止画であってもよい。また、特定画像は、デジタル画像である。
【００１５】
第１通信部１２は、インターホン親機２０の後述する第２通信部２１との間で通信を行うように構成されている。第１通信部１２は、撮像部１１で取得された特定画像の画像信号をインターホン親機２０へ送信する。
【００１６】
第１制御部１３は、撮像部１１、第１通信部１２及び第１通話処理部を制御するように構成されている。第１制御部１３は、例えばマイクロコンピュータである。第１制御部１３は、上記画像信号を、第１通信部１２から第２通信部２１へ送信させる。
【００１７】
インターホン親機２０は、図１に示すように、第２通信部２１と、表示部２２と、記憶部２３と、操作部２４と、第２制御部２５とを備えている。また、インターホン親機２０は、図示しない通話処理部（第２通話処理部）、マイクロホン及びスピーカを備え、インターホン子機１０との間で通話を行うように構成されている。
【００１８】
第２通信部２１は、第１通信部１２との間で通信を行うように構成されている。第２通信部２１は、第１通信部１２からの画像信号を受信する。表示部２２は、第２通信部２１で受信された画像信号に基づいて画像を表示するように構成されている。表示部２２は、例えば液晶ディスプレイである。記憶部２３は、第２通信部２１で受信された画像信号に基づいて画像を記憶するように構成されている。記憶部２３は、記録媒体（例えばメモリカード）である。操作部２４は、居住者の操作入力を受け付けるように構成されている。操作部２４は、複数の押ボタンを有する入力装置である。
【００１９】
第２制御部２５は、第２通信部２１、表示部２２及び第２通話処理部を制御するように構成されている。第２制御部２５は、例えばマイクロコンピュータである。第２制御部２５は、第２通信部２１で受信された画像信号に基づく画像を表示部２２に表示させる。また、第２制御部２５は、第２通信部２１で受信された画像信号に基づく画像を記憶部２３に記憶させる。
【００２０】
ところで、第１制御部１３は、表示部２２に表示させる画像の範囲（表示範囲）を制御するように構成されている。第１制御部１３は、動作モードとして、第１表示モードと、第２表示モードとを有する。第１表示モードは、画像の全体を表示する全体表示モードに相当し、表示範囲が第２表示モードよりも広くなる。第２表示モードは、全体表示モードで表示された画像の一部を拡大して表示する表示モード、いわゆるズームモードに相当し、表示範囲が第１表示モードよりも狭くなる。また、第１制御部１３は、居住者による操作部２４の操作入力に従って、第１表示モードと第２表示モードとの一方の動作モードを選択するように構成されている。ここにおいて、第２制御部２５は、居住者が第１制御部１３の動作モードを第１表示モードと第２表示モードとから選択できるように、表示部２２に選択画面を表示させるように構成されている。居住者は、表示部２２に表示された選択画面に従い、例えば操作部２４を用いて第１表示モードと第２表示モードとの一方の動作モードを選択する。また、第２制御部２５は、第１表示モードと第２表示モードとのどちらが選択されたかを、第１制御部１３へ通知するように構成されている。第２制御部２５は、選択結果を含む通知信号を、第２通信部２１から第１通信部１２へ送信させる。これにより、第１制御部１３は、第１表示モードと第２表示モードとのどちらが選択されたかを判定することができる。
【００２１】
第１制御部１３は、動作モードが第１表示モードであるとき、特定領域Ａ１０の周縁領域Ａ３（図２Ａ参照）以外の領域（第１領域）Ａ１を表示範囲とするように構成されている。第１領域Ａ１は、特定領域Ａ１０よりも狭い。第１制御部１３は、動作モードが第１表示モードであるとき、特定画像から第１画像Ｇ１（図２Ａ参照）を切り出す。第１画像Ｇ１は、図２Ａに示すように、特定画像のうち第１領域Ａ１内にある画像、つまり画素の集合である。第１領域Ａ１とは、特定領域Ａ１０に内接する四角形で表す領域であって、撮像素子の有効エリアである。
【００２２】
第１制御部１３は、第１通信部１２を用いて、第１画像Ｇ１の画像信号をインターホン親機２０へ送信する。第２制御部２５は、第２通信部２１で受信された画像信号に基づく第１画像Ｇ１を、記憶部２３に記憶させる。また、第２制御部２５は、第２通信部２１で受信された画像信号に基づく第１画像Ｇ１を、表示部２２に表示させる。これにより、居住者は、特定領域Ａ１０のうちの第１領域Ａ１の画像（第１画像Ｇ１）を表示部２２で確認することができる。
【００２３】
第１制御部１３は、動作モードが第２表示モードであるとき、特定領域Ａ１０の周縁領域Ａ３の少なくとも一部を含む領域（第２領域）Ａ２（図２Ｂ参照）を表示範囲とするように構成されている。第２領域Ａ２は、第１領域Ａ１よりも狭い。本実施形態では、特定領域Ａ１０は、図２Ｂに示すように、複数（図示例では、５つ）の領域Ｄ１〜Ｄ５に分割されている。第１制御部１３は、動作モードが第２表示モードであるとき、５つの領域Ｄ１〜Ｄ５のうちの１つの領域（図２Ｂでは、領域Ｄ２）を表示範囲とする。第１制御部１３は、動作モードが第２表示モードであるとき、特定画像から第２画像Ｇ２（図２Ｂ参照）を切り出す。第２画像Ｇ２は、図２Ｂに示すように、特定画像のうち第２領域Ａ２内にある画像、つまり画素の集合である。
【００２４】
第１制御部１３は、第１通信部１２を用いて、第２画像Ｇ２の画像信号をインターホン親機２０へ送信する。第２制御部２５は、第２通信部２１で受信された画像信号に基づく第２画像Ｇ２を、記憶部２３に記憶させる。また、第２制御部２５は、第２通信部２１で受信された画像信号に基づく第２画像Ｇ２を、表示部２２に表示させる。これにより、居住者は、特定領域Ａ１０のうちの第１領域Ａ１以外の領域（周縁領域Ａ３）を含む画像（第２画像Ｇ２）を表示部２２で確認することができる。すなわち、居住者は、第１領域Ａ１の画像だけでなく、第１領域Ａ１から見切れた領域（はみ出した領域）の画像も表示部２２で確認することができる。つまり、インターホンシステム１００では、より広範囲の画像を表示することができる。ここで、周縁領域Ａ３は、特定領域Ａ１０の周部に相当する領域である。そのため、周縁領域Ａ３は、第１領域Ａ１に比べると、例えばレンズ１４のケラレ等で画像が暗くなったり、画像の歪補正が不自然になったりして、画像の品質が低下することがある。このような理由から一般的には使用されない周縁領域Ａ３を、インターホンシステム１００では、第２表示モードで活用することによって、より広範囲の画像を表示することができる。なお、周縁領域Ａ３の画像の品質は、第１領域Ａ１の画像の品質と同等であってもよい。
【００２５】
第２領域Ａ２の大きさは、図３に示すように、可変であることが好ましい。言い換えれば、動作モードが第２表示モードであるときの表示範囲の大きさは、可変であることが好ましい。図３では、２つの第２領域Ａ２１，Ａ２２を示している。第２領域Ａ２１は、第２領域Ａ２２よりも狭い。第２領域Ａ２１の画像は、例えば、ズーム倍率が２倍の画像（デジタルズーム画像）で表示部２２に表示される。第２領域Ａ２２の画像は、例えば、ズーム倍率が１．３３倍の画像で表示部２２に表示される。これにより、インターホンシステム１００では、図３に示すように、第２領域Ａ２が狭くなるに従って第２領域Ａ２が第１領域Ａ１から多くはみ出すことができるので、さらに広範囲の画像を表示することができる。その結果、居住者は、より広い範囲で来訪者を確認し易くなる。
【００２６】
インターホンシステム１００では、レンズ１４が広角レンズであるため、第２領域Ａ２が第１領域Ａ１から多くはみ出す（第２領域Ａ２における周縁領域Ａ３の占める割合が大きくなる）と、第２画像Ｇ２の歪が大きくなる。そこで、第１制御部１３は、動作モードが第２表示モードであるとき、第２領域Ａ２における周縁領域Ａ３の占める割合が大きくなるに従って、第２画像Ｇ２の歪補正の補正量を多くすることが好ましい。言い換えれば、第１制御部１３は、動作モードが第２表示モードであるとき、表示範囲における周縁領域Ａ３の占める割合が大きくなるに従って、表示範囲の画像（第２画像Ｇ２）の歪補正の補正量を多くすることが好ましい。これにより、インターホンシステム１００では、表示部２２に、歪の少ない画像を表示させることが可能になる。
【００２７】
第１制御部１３は、居住者による操作部２４の操作入力に従って、第１表示モードと第２表示モードとの一方の動作モードを選択するように構成されているが、この構成に限らない。第１制御部１３は、居住者による操作部２４の操作入力に従って、第１表示モードと第２表示モードとの両方の動作モードを同時に選択するように構成されていてもよい。これにより、インターホンシステム１００では、第１画像Ｇ１及び第２画像２の両方を、表示部２２に表示させることが可能となり、居住者の利便性を向上させることが可能になる。
【００２８】
この場合において、表示部２２は、図４Ａに示すように、第１画像Ｇ１と第２画像Ｇ２とを同時に表示するように構成されていることが好ましい。これにより、居住者は、第１画像Ｇ１と第２画像Ｇ２との一方が表示部２２に表示される場合に比べて、より広い範囲で来訪者を確認することができる。なお、図４Ｂは、特定領域Ａ１０に対する第１領域Ａ１及び第２領域Ａ２の位置を示す説明図である。
【００２９】
第１制御部１３は、動作モードが第２表示モードであるとき、５つの領域Ｄ１〜Ｄ５のうちの１つの領域（例えば、領域Ｄ２）を表示範囲とするように構成されているが、この構成に限らない。第１制御部１３は、動作モードが第２表示モードであるとき、５つの領域Ｄ１〜Ｄ５のうちの少なくとも１つの領域を表示範囲とするように構成されていればよい。例えば、第１制御部１３は、動作モードが第２表示モードであるとき、５つの領域Ｄ１〜Ｄ５のうちの２つの領域（例えば、図２Ｂ中の領域Ｄ２及び領域Ｄ４）を表示範囲とするように構成されていてもよい。この場合、表示部２２は、図５Ａに示すように、第１画像Ｇ１と２つの第２画像Ｇ２１，Ｇ２２とを同時に表示する。またこの場合、表示部２２は、第１画像Ｇ１を動画で表示し、２つの第２画像Ｇ２１，Ｇ２２を静止画で表示する。なお、図５Ｂは、特定領域Ａ１０に対する第１領域Ａ１及び２つの第２領域Ａ２の位置を示す説明図である。また、表示部２２は、第１画像Ｇ１を動画で表示し、２つの第２画像Ｇ２１，Ｇ２２を静止画で表示するが、これに限らない。表示部２２は、例えば、第１画像Ｇ１を高いフレームレートの動画で表示し、２つの第２画像Ｇ２１，Ｇ２２を低いフレームレートの動画で表示してもよい。
【００３０】
上述のインターホンシステム１００は、本発明の一例に過ぎず、本発明は、上記実施形態に限定されることはなく、上記実施形態以外であっても、本発明に係る技術的思想を逸脱しない範囲であれば、設計等に応じて種々の変更が可能である。以下に、本実施形態の変形例を列挙する。
【００３１】
表示部２２は、第１画像Ｇ１と第２画像Ｇ２とを同時に表示するように構成されているが、第１画像Ｇ１と第２画像Ｇ２を切り替えて表示するように構成されていてもよい。例えば、表示部２２は、第１画像Ｇ１を表示し、所定時間（第１所定時間）が経過した後に、第２画像Ｇ２を表示してもよい。また、表示部２２は、第１画像Ｇ１及び２つの第２画像Ｇ２１，Ｇ２２を表示する場合、図６に示すように、第１画像Ｇ１を表示して第１所定時間が経過した後に、第２画像Ｇ２１を表示し、更に第２所定時間が経過した後に、第２画像Ｇ２２を表示してもよい。これにより、インターホンシステム１００では、第１画像Ｇ１と第２画像Ｇ２とを同時に表示させる場合よりも、大きな画像を表示部２２に表示させることが可能となる。よって、居住者は、第１画像Ｇ１と第２画像Ｇ２とが同時に表示された場合よりも、来訪者を確認し易くなる。なお、第１所定時間及び第２所定時間は、同じ時間であってもよい。また、表示部２２は、第１画像Ｇ１及び２つの第２画像Ｇ２１，Ｇ２２を表示する場合、図６に示すように、第２画像Ｇ２２を表示して第３所定時間が経過した後に、第１画像Ｇ１を再度表示してもよい。第３所定時間は、第１所定時間及び第２所定時間と同じ時間である。
【００３２】
第１制御部１３は、動作モードが第２表示モードであるとき、５つの領域Ｄ１〜Ｄ５のうちの少なくとも１つの領域を表示範囲とするように構成されているが、この構成に限らない。第１制御部１３は、動作モードが第２表示モードであるとき、表示範囲となる領域の特定領域Ａ１０内での位置が可変であるように構成されていてもよい。例えば、第１制御部１３は、動作モードが第２表示モードであるとき、居住者による操作部２４の操作入力に従って表示範囲を特定領域Ａ１０内で移動させてもよい。これにより、インターホンシステム１００では、特定領域Ａ１０における５つの領域Ｄ１〜Ｄ５以外の領域（例えば、５つの領域Ｄ１〜Ｄ５のうちの複数の領域に跨る領域）も表示範囲とすることができる。よって、インターホンシステム１００では、５つの領域Ｄ１〜Ｄ５のうちの少なくとも１つの領域を表示範囲とする場合よりも、さらに広範囲の画像を表示できる。その結果、居住者は、より広い範囲で来訪者を確認し易くなる。
【００３３】
本実施形態では、第１制御部１３が、表示部２２に表示させる画像の範囲（表示範囲）を制御するように構成されているが、この構成に限らない。第２制御部２５が、表示部２２に表示させる表示範囲を制御するように構成されていてもよい。言い換えれば、本実施形態では、表示部２２に表示させる表示範囲を制御する制御部がインターホン子機１０に設けられているが、上記制御部はインターホン親機２０に設けられていてもよい。ただし、上記制御部がインターホン子機１０に設けられる場合は、上記制御部がインターホン親機２０に設けられる場合よりも、伝送路３０の通信トラフィック量を低減できる。
【００３４】
以上説明したように、本実施形態のインターホンシステム１００は、インターホン子機１０と、伝送路３０を介してインターホン子機１０に接続されるインターホン親機２０とを備える。インターホン子機１０は、特定領域Ａ１０の画像を取得する撮像部１１と、撮像部１１で取得された画像の画像信号をインターホン親機２０へ送信する第１通信部１２とを有する。インターホン親機２０は、第１通信部１２からの画像信号を受信する第２通信部２１と、画像信号に基づいて画像を表示する表示部２２とを有する。インターホンシステム１００は、表示部２２に表示させる画像の範囲である表示範囲を制御する制御部（第１制御部１３）を更に備える。上記制御部は、動作モードとして、第１表示モードと、表示範囲が第１表示モードよりも狭い第２表示モードとを有する。上記制御部は、動作モードが第１表示モードであるとき、特定領域Ａ１０の周縁領域Ａ３以外の領域（第１領域）Ａ１を表示範囲とする。上記制御部は、動作モードが第２表示モードであるとき、特定領域Ａ１０の周縁領域Ａ３の少なくとも一部を含む領域（第２領域）Ａ２を表示範囲とする。
【００３５】
この構成によれば、動作モードが第２表示モードであるとき、表示範囲には周縁領域Ａ３の少なくとも一部が含まれるので、第１領域Ａ１から見切れた領域（はみ出した領域）の画像も表示できる。つまり、この構成によれば、より広範囲の画像を表示することができる。
【００３６】
上記制御部は、動作モードが第２表示モードであるとき、表示範囲となる領域の特定領域Ａ１０内での位置が可変であることが好ましい。
【００３７】
この構成によれば、例えば複数の領域Ｄ１〜Ｄ５のうちの少なくとも１つの領域を表示範囲とする場合よりも、さらに広範囲の画像を表示することができる。その結果、居住者は、より広い範囲で来訪者を確認し易くなる。
【００３８】
特定領域Ａ１０は、複数の領域Ｄ１〜Ｄ５に分割されていることが好ましい。上記制御部は、動作モードが第２表示モードであるとき、複数の領域Ｄ１〜Ｄ５のうちの少なくとも１つの領域を表示範囲とすることが好ましい。
【００３９】
この構成によれば、居住者は、例えば操作部２４を用いて第２表示モードの動作モードを選択した後、表示範囲の位置を容易に指定することができる。すなわち、この構成によれば、居住者の操作性を向上させることができる。
【００４０】
動作モードが第２表示モードであるときの表示範囲の大きさは、可変であることが好ましい。
【００４１】
この構成によれば、第２領域Ａ２が狭くなるに従って第２領域Ａ２が第１領域Ａ１から多くはみ出すことができるので、さらに広範囲の画像を表示することができる。その結果、居住者は、より広い範囲で来訪者を確認し易くなる。
【００４２】
撮像部１１は、上述のように、レンズ１４を備えていることが好ましい。上記制御部は、動作モードが第２表示モードであるとき、表示範囲における周縁領域Ａ３の占める割合が大きくなるに従って、表示範囲の画像（第２画像）Ｇ２の歪補正の補正量を多くすることが好ましい。
【００４３】
この構成によれば、表示部２２に、歪の少ない画像を表示させることが可能になる。
【００４４】
上記制御部は、インターホン子機１０に設けられていることが好ましい。
【００４５】
この構成によれば、上記制御部がインターホン親機２０に設けられる場合よりも、伝送路３０の通信トラフィック量を低減できる。
【００４６】
表示部２２は、動作モードが第１表示モードであるときの表示範囲の画像（第１画像Ｇ１）と、動作モードが第２表示モードであるときの表示範囲の画像（第２画像Ｇ２）とを同時に表示することが好ましい。
【００４７】
この構成によれば、居住者は、第１画像Ｇ１と第２画像Ｇ２との一方が表示部２２に表示される場合に比べて、より広い範囲で来訪者を確認することができる。
【００４８】
表示部２２は、動作モードが第１表示モードであるときの表示範囲の画像（第１画像Ｇ１）と、動作モードが第２表示モードであるときの表示範囲の画像（第２画像Ｇ２）とを切り替えて表示することが好ましい。
【００４９】
この構成によれば、第１画像Ｇ１と第２画像Ｇ２とを同時に表示させる場合よりも、大きな画像を表示部２２に表示させることが可能となる。よって、居住者は、第１画像Ｇ１と第２画像Ｇ２とが同時に表示された場合よりも、来訪者を確認し易くなる。
【００５０】
なお、インターホン子機１０は、集合住宅の外玄関に設置されるドアホン子機ではなく、例えば、集合住宅の共用スペース（ロビー）等に設置されるロビーインターホンであってもよい。
【００５１】
インターホン親機２０は、記憶部２３を備えているが、記憶部２３を備えていなくてもよい。
【００５２】
インターホンシステム１００は、集合住宅に用いられているが、戸建て住宅に用いられてもよい。
【００５３】
操作部２４は、複数の押ボタンを有する入力装置であるが、タッチパネルを有する入力装置であってもよい。この場合、表示部２２と操作部２４とが一体に構成される。
【００５４】
特定領域Ａ１０は、５つの領域Ｄ１〜Ｄ５を含んでいるが、これに限らず、例えば６つ以上の領域を含んでいてもよい。また、特定領域Ａ１０は、２つ以上４つ以下の領域を含んでいてもよい。
【００５５】
第１制御部１３と第２制御部２５との一方は、居住者による操作部２４の操作入力に従って、第１表示モードと第２表示モードとの少なくとも一方の動作モードを選択するが、これに限らない。例えば、第１制御部１３と第２制御部２５との一方は、撮像部１１で取得された画像から顔認証を行い、この顔認証の結果に基づいて、動作モードを選択してもよい。つまり、第１制御部１３と第２制御部２５との一方は、居住者による操作部２４の操作入力をトリガーとして動作モードを選択するのではなく、撮像部１１で取得された画像の顔認証をトリガーとして動作モードを選択してもよい。
【００５６】
第１制御部１３と第２制御部２５との一方は、動作モードが第２表示モードであるとき、全体表示モードで表示された画像の一部を拡大して表示するが、これに限らず、全体表示モードで表示された画像の一部を拡大せずに表示してもよい。
【００５７】
また、第１制御部１３と第２制御部２５との一方は、動作モードが第２表示モードであるときに、特定領域Ａ１０において、周縁領域Ａ３の少なくとも一部を含む領域を表示範囲とする機能があればよく、周縁領域Ａ３を含まない領域を表示範囲とする機能もある。つまり、第１制御部１３と第２制御部２５との一方は、動作モードが第２表示モードであるとき、第１領域Ａ１の一部のみを表示範囲とすることが可能である。
【符号の説明】
【００５８】
１０  インターホン子機
１１  撮像部
１２  第１通信部
１３  第１制御部（制御部）
１４  レンズ
２０  インターホン親機
２１  第２通信部
２２  表示部
２５  第２制御部（制御部）
１００  インターホンシステム
Ａ３  周縁領域
Ａ１０  特定領域
Ｄ１〜Ｄ５  複数の領域
Ｇ１  第１画像（動作モードが第１表示モードであるときの表示範囲の画像）
Ｇ２  第２画像（動作モードが第２表示モードであるときの表示範囲の画像）
【図１】
0006709980.tif 000002
【図２】
0006709980.tif 000003
【図３】
0006709980.tif 000004
【図４】
0006709980.tif 000005
【図５】
0006709980.tif 000006
【図６】
0006709980.tif 000007